(57)【要約】【課題】  パレットを使用する必要なくローラーコンベヤでの運搬を行うことができる搬送台車を提供する。【解決手段】  物品を搬送するために用いられる搬送台車１０は、物品を収容するための搬送台本体１１と、その底に前後それぞれに設けられたホイール１２と、を備える。ホイール１２は、搬送台本体１１の下端から突出するように露出した露出位置と搬送台本体１１の下端から突出しないように格納された格納位置とを切り替えるホイール位置切り替え手段１８，２０が設けられている。【選択図】図１
2006027527.tif 000002
【特許請求の範囲】
【請求項１】
物品を搬送するために用いられる搬送台車であって、
物品を収容するための搬送台本体と、該搬送台本体の底に前後それぞれに設けられたホイールと、を備え、
上記ホイールは、上記搬送台本体の下端から突出するように露出した露出位置と上記搬送台本体の下端から突出しないように格納された格納位置とを切り替えるホイール位置切り替え手段が設けられている、搬送台車。
【請求項２】
請求項１に記載された搬送台車において、
上記前側のホイールが上記搬送台本体の前端よりも後方に設けられ、及び／又は、上記後側のホイールが上記搬送台本体の後端よりも前方に設けられている、搬送台車。
【請求項３】
物品を搬送するために用いられる搬送台車及びローラーコンベヤからなる搬送システムであって、
上記搬送台車は、物品を収容するための搬送台本体と、該搬送台本体の底に設けられたホイールと、を備え、
上記ホイールは、上記搬送台本体の下端から突出するように露出した露出位置と上記搬送台本体の下端から突出しないように格納された格納位置とを切り替えるホイール位置切り替え手段が設けられている、搬送システム。
【請求項４】
請求項３に記載された搬送システムにおいて、
上記搬送台車は、上記ホイールが上記露出位置にある状態で、該搬送台本体の下端位置が上記ローラーコンベヤの搬送面位置と同一高さに位置付けられるように形成されている、搬送システム。
【発明の詳細な説明】
【技術分野】
【０００１】
本発明は、物品を搬送するために用いられる搬送台車及びそれを用いた搬送システムに関する。
【背景技術】
【０００２】
工場などにおいて、部品や製品を搬送するのに搬送台車が広く用いられている。かかる搬送台車は、一般に、物品を収容するための搬送台本体の底の四隅にそれぞれ移動用のキャスタが取り付けられた構成のものである。
【０００３】
特許文献１には、下端部にキャスターがそれぞれ取付けられた４本の支柱と、この４本の支柱の下部および上部部位に位置するように前後両側部に支柱挿入パイプが固定されたＺ字あるいは逆Ｚ字状の２個の固定フレームと、この２個の固定フレームの両側部位間に順次位置するように支柱に挿入された複数個のトレーシエルフおよびパイプスペーサーと、４本の支柱の両側部位の上部に挿入された上部トレーシエルフと、４本の支柱の上部に取付けられた常時該支柱に挿入された２個の固定フレーム、複数個のトレーシエルフおよびパイプスペーサーおよび上部トレーシエルフを押し圧固定する固定具と、対向するトレーシエルフに支持されるトレーとで構成されたトレーラックが開示されている。そして、これによれば、ネスティングが可能で、十分な強度が得られ、軽量に製造することができる、と記載されている。
【特許文献１】特開平９−２２１０３８号公報
【発明の開示】
【発明が解決しようとする課題】
【０００４】
ところで、搬送台車に物品を載せ、それをそのままローラーコンベヤで運搬する場合、搬送台車を直接ローラーコンベヤに載せるとローラ間にキャスタが嵌まり込んでしまうという不都合が生じる。そのため、通常は、図７に示すように、キャスター３２をそのままにして搬送台車３０を一旦パレット３３に載せ、それをローラーコンベヤ３１で運搬することが行われる。
【０００５】
本発明は、かかる点に鑑みてなされたものであり、その目的とするところは、パレットを使用する必要なくローラーコンベヤでの運搬を行うことができる搬送台車及びそれを用いた搬送システムを提供することにある。
【課題を解決するための手段】
【０００６】
上記の目的を達成する本発明の搬送台車は、物品を搬送するために用いられるものであって、
物品を収容するための搬送台本体と、該搬送台本体の底に前後それぞれに設けられたホイールと、を備え、
上記ホイールは、上記搬送台本体の下端から突出するように露出した露出位置と上記搬送台本体の下端から突出しないように格納された格納位置とを切り替えるホイール位置切り替え手段が設けられている。
【０００７】
上記の構成によれば、ホイールを露出させた状態にすることにより床を移動させることができる一方、ホイールを格納された状態にすることによりそのままローラーコンベヤに載せて運搬することができる。従って、パレットを使用する必要なく搬送台車のみによってローラーコンベヤでの運搬を行うことができる。
【０００８】
本発明の搬送台車は、上記前側のホイールが上記搬送台本体の前端よりも後方に設けられ、及び／又は、上記後側のホイールが上記搬送台本体の後端よりも前方に設けられているものであることが好ましい。
【０００９】
上記の構成によれば、搬送台車をローラーコンベヤに載せる際に、搬送台本体における前側のホイールより前方部分をローラーコンベヤに載せて支持した状態でホイールを格納することができ、また、搬送台車をローラーコンベヤから降ろす際に、搬送台本体における後側のホイールより後方部分をローラーコンベヤに載せて支持した状態でホイールを露出させることができ、前側のホイールを格納する作業、或いは、後側のホイールを露出させる作業を容易に行うことができる。
【００１０】
本発明の搬送台車は、ローラーコンベヤと組み合わせることにより搬送システムを構成することができる。
【００１１】
そのような搬送システムでは、本発明の搬送台車は、上記ホイールが上記露出位置にある状態で、該搬送台本体の下端位置が上記ローラーコンベヤの搬送面位置と同一高さに位置付けられるように形成されていることが好ましい。
【００１２】
上記の構成によれば、搬送台車を持ち上げてローラーコンベヤに載せる必要無く、ホイールの出し入れを含む作業性が良好になると共に、物品の搬送をスムーズに行うことができる。
【発明の効果】
【００１３】
以上の通り、本発明によれば、ホイールを出し入れすることができるので、パレットを使用する必要なく搬送台車のみによってローラーコンベヤでの運搬を行うことができる。
【発明を実施するための最良の形態】
【００１４】
以下、本発明の実施形態を図面に基づいて詳細に説明する。
【００１５】
図１及び２は、本発明に係る搬送台車１０を示す。
【００１６】
この搬送台車１０は、物品を収容するための搬送台本体１１と、その搬送台本体１１の底の前後それぞれの両側に設けられた合計４つのホイール１２と、を備えた構成となっている。
【００１７】
搬送台本体１１は、上方に開口した矩形箱状に形成されている。また、搬送台本体１１は、箱状部分の両側面のそれぞれに連続して底よりも下方に垂下した前後に細長い矩形の下垂板１１ａを備えている。下垂板１１ａは、その下端が搬送台本体１１の下端となっており、箱状部分の下に空間を形成している。
【００１８】
ホイール１２は、断面コの字状のホイールホルダ１３の相互に対向する面間を連結する車軸１５に軸支されたホイールユニット１４として搬送台本体１１の底の四隅に取り付けられている。前側の一対のホイールユニット１４のそれぞれは、搬送台本体１１の前端よりもやや後方に設けられている。また、後側の一対のホイールユニット１４のそれぞれは、搬送台本体１１の後端よりもやや前方に設けられている。
【００１９】
図３及び４は、搬送台本体１１の底に取り付けられたホイールユニット１４を示す。
【００２０】
前側の各ホイールユニット１４は、ホイールホルダ１３の上面の後端に車軸１５と並行に延びるように筒状の軸挿通部が形成されている。また、前側の各ホイールユニット１４は、車軸１５が左右方向に延びるように、軸挿通部に挿通された取付軸１６の両端が搬送台本体１１の底に固定されている。さらに、前側の各ホイールユニット１４は、搬送台本体１１の底に設けられた固定金具１７によってホイールホルダ１３の上面の前端が係止されることにより、図３に示すように、ホイール１２が下垂板１１ａの下端、つまり、搬送台本体１１の下端から突出するように露出した露出位置に位置付けられた状態になるようになっている。
【００２１】
同様に、後側の各ホイールユニット１４は、ホイールホルダ１３の上面の前端に車軸１５と並行に延びるように筒状の軸挿通部が形成されている。また、後側の各ホイールユニット１４は、車軸１５が左右方向に延びるように、軸挿通部に挿通された取付軸１６の両端が搬送台本体１１の底に固定されている。さらに、後側の各ホイールユニット１４は、搬送台本体１１の底に設けられた固定金具１７によってホイールホルダ１３の上面の後端が係止されることにより、ホイール１２が下垂板１１ａの下端、つまり、搬送台本体１１の下端から突出するように露出した露出位置に位置付けられた状態になるようになっている。
【００２２】
一方、両側の下垂板１１ａで支持されるように係合解除レバー１８が前側及び後側それぞれの一対のホイールユニット１４に対応して設けられており、その係合解除レバー１８を操作することにより、前側の一対のホイールユニット１４、或いは、後側の一対のホイールユニット１４の固定金具１７による係合が解除されるようになっている。また、前側及び後側のそれぞれの各ホイールユニット１４は、ホイールホルダ１３の側面と搬送台本体１１の底のより内側の位置とを連結するようにコイルスプリング１９が設けられており、これによって、固定金具１７による係合が解除されると、図４に示すように、コイルスプリング１９の付勢により内側に傾倒し、ホイール１２が下垂板１１ａの下端、つまり、搬送台本体１１の下端から突出せず、搬送台本体１１の箱状部分の下の空間に格納された格納位置に位置付けられた状態になるようになっている。
【００２３】
また、両側の下垂板１１ａで支持されるように係合セットレバー２０が前側及び後側それぞれの一対のホイールユニット１４に対応して設けられており、その係合セットレバー２０を操作することにより、前側の一対のホイールユニット１４、或いは、後側の一対のホイールユニット１４がコイルスプリング１９の付勢に反して立つと共に、固定金具１７がホイールホルダ１３の上面の前端或いは後端に係合し、再び、ホイール１２が搬送台本体１１の下端から突出するように露出した露出位置に位置付けられた状態になるようになっている。
【００２４】
つまり、係合解除レバー１８と係合セットレバー２０とがホイール位置切り替え手段を構成している。
【００２５】
図５及び６は、上記の搬送台車１０とローラーコンベヤ２１との組み合わせによる搬送システムを用いた物品の搬送を示す。
【００２６】
この搬送システムでは、搬送台車１０は、ホイール１２が露出位置にある状態で、搬送台本体１１の下端位置がローラーコンベヤ２１の搬送面位置（全てのローラー上端を含む面）と同一高さに位置付けられるように形成されている。
【００２７】
まず、図５（ａ）に示すように、搬送台車１０の前側及び後側の全ホイール１２が搬送台本体１１の下端から突出するように露出した露出位置に位置付けられた状態とし、搬送台車１０を押してホイール１２の回転によりローラーコンベヤ２１の方に向かって床を移動させる。
【００２８】
次いで、図５（ｂ）に示すように、搬送台本体１１における前側のホイールユニット１４より前方部分をローラーコンベヤ２１の入口部に載せて支持する。そして、その状態で、前側の係合解除レバー１８を操作する。このとき、固定金具１７のホイールユニット１４への係合が解除され、コイルスプリング１９の付勢によってホイールユニット１４が内側に傾倒し、前側のホイール１２が搬送台本体１１の下端から突出せずに格納された格納位置に位置付けられた状態になる。
【００２９】
次いで、図５（ｃ）に示すように、搬送台車１０をローラーコンベヤ２１に前後方向の半分以上を押し込んだところで、後側の係合解除レバー１８を操作する。このとき、固定金具１７のホイールユニット１４への係合が解除され、コイルスプリング１９の付勢によってホイールユニット１４が内側に傾倒し、後側のホイール１２も搬送台本体１１の下端から突出せずに格納された格納位置に位置付けられた状態になる。
【００３０】
次いで、図５（ｄ）に示すように、前側及び後側の両ホイール１２を格納位置に位置付けた状態の搬送台車１０を押してローラーコンベヤ２１上を移動させる。
【００３１】
次いで、図６（ａ）に示すように、搬送台車１０をローラーコンベヤ２１の出口部から前後方向の半分程度を押し出したところで、前側の係合セットレバー２０を操作する。このとき、前側の一対のホイールユニット１４がコイルスプリング１９の付勢に反して立つと共に、固定金具１７がホイールホルダ１３の上面の前端に係合し、再び、ホイール１２が搬送台本体１１の下端から突出するように露出した露出位置に位置付けられた状態になる。
【００３２】
次いで、図６（ｂ）に示すように、搬送台本体１１における後側のホイールユニット１４より後方部分をローラーコンベヤ２１の出口部に載せて支持する。そして、その状態で、後側の係合セットレバー２０を操作する。このとき、後側の一対のホイールユニット１４がコイルスプリング１９の付勢に反して立つと共に、固定金具１７がホイールホルダ１３の上面の後端に係合し、再び、ホイール１２が搬送台本体１１の下端から突出するように露出した露出位置に位置付けられた状態になる。
【００３３】
そして、図６（ｃ）に示すように、搬送台車１０を押してホイール１２の回転によりローラーコンベヤ２１から先に向かって床を移動させる。
【００３４】
以上の構成の搬送台車１０によれば、ホイール１２を露出させた状態にすることにより床を移動させることができる一方、ホイール１２を格納された状態にすることによりそのままローラーコンベヤ２１に載せて運搬することができる。従って、パレットを使用する必要なく搬送台車１０のみによってローラーコンベヤ２１での運搬を行うことができる。
【００３５】
また、上記構成の搬送台車１０では、前側のホイール１２が搬送台本体１１の前端よりも後方に設けられているので、搬送台車１０をローラーコンベヤ２１に載せる際に、搬送台本体１１における前側のホイール１２より前方部分をローラーコンベヤ２１に載せて支持した状態でホイール１２を格納することができる。加えて、後側のホイール１２が搬送台本体１１の後端よりも前方に設けられているので、搬送台車１０をローラーコンベヤ２１から降ろす際に、搬送台本体１１における後側のホイール１２より後方部分をローラーコンベヤ２１に載せて支持した状態でホイール１２を露出させることができる。従って、前側のホイール１２を格納する作業、或いは、後側のホイール１２を露出させる作業を容易に行うことができる。
【００３６】
さらに、上記の構成の搬送システムによれば、搬送台車１０のホイール１２が露出位置にある状態で、搬送台本体１１の下端位置がローラーコンベヤ２１の搬送面位置と同一高さに位置付けられていることから、搬送台車１０を持ち上げてローラーコンベヤ２１に載せる必要がないので、ホイールユニット１４の出し入れを含む作業性が良好になると共に、物品の搬送をスムーズに行うことができる。
【００３７】
なお、上記実施形態では、ホイールユニット１４が傾倒する構成としたが、特にこれに限定されるものではなく、ネジの回転や伸縮棒によりホイールを引き出したり引っ込めたりする多段階引き出し方式であっても、また、ホイールだけを上下スライドさせるようにしたり、ホイールユニット全体を横にスライドさせるようにしたホイールスライド方式等のような構成であってもよい。
【００３８】
また、上記実施形態では、搬送台本体１１の底にホイールユニット１４を取り付けた構成としたが、特にこれに限定されるものではなく、方向転換を容易に行える出し入れ可能なキャスターを取り付けた構成であってもよい。
【００３９】
また、上記実施形態では、搬送台本体１１が上方に開口した矩形箱状に形成されたものとしたが、特にこれに限定されるものではなく、ラック形式などでもよく、物品を載せることができれば、その形態は問わない。
【産業上の利用可能性】
【００４０】
本発明は、物品を搬送するために用いられる搬送台車及びそれを用いた搬送システムに
有用である。
【図面の簡単な説明】
【００４１】
【図１】本発明の実施形態に係る搬送台車の側面図である。
【図２】本発明の実施形態に係る搬送台車の正面図である。
【図３】露出位置に位置付けられたホイールユニットを示す説明図である。
【図４】格納位置に位置付けられたホイールユニットを示す説明図である。
【図５】搬送システムによる物品の搬送の前半を示す説明図である。
【図６】搬送システムによる物品の搬送の後半を示す説明図である。
【図７】従来の搬送システムによる物品の搬送を示す説明図である。
【符号の説明】
【００４２】
１０，３０  搬送台車
１１  搬送台本体
１１ａ  下垂板
１２  ホイール
１３  ホイールホルダ
１４  ホイールユニット
１５  車軸
１６  取付軸
１７  固定金具
１８  係合解除レバー
１９  コイルスプリング
２０  係合セットレバー
２１，３１  ローラーコンベヤ
３２  キャスター
３３  パレット
【図１】
2006027527.tif 000003
【図２】
2006027527.tif 000004
【図３】
2006027527.tif 000005
【図４】
2006027527.tif 000006
【図５】
2006027527.tif 000007
【図６】
2006027527.tif 000008
【図７】
2006027527.tif 000009